(57)【要約】【課題】通信端末からストレージの情報ファイルに接続する際には、その情報ファイルに対する他の通信端末の接続の状況を各通信端末から簡便に把握。【解決手段】通信端末においてアプリケーション１１のオープンダイアログ６０をモニタに表示し、このオープンダイアログ６０からファイルサーバの情報ファイルに対して通信ネットワークを介して接続する操作を行った場合には、オープンダイアログ６０に表示されたファイルイメージＦに接続する通信端末Ｃの操作画面Ｇが管理サーバＡから送信され、この通信端末Ｃでは、ファイルイメージＦと操作画面Ｇとを並列的に表示し、これらを結ぶラインイメージＳを表示する。【選択図】図４
2008299651.tif 000002
【特許請求の範囲】
【請求項１】
複数の通信端末とストレージとが接続する通信ネットワークにおけるネットワーク管理システムであって、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを取得して、前記特定の通信端末に与える接続情報取得部を備えると共に、
前記特定の通信端末は、その通信端末のモニタに対して、前記端末識別情報に対応する端末表示情報と、前記ファイル特定情報に対応するファイル表示情報とを関連付ける関連付けイメージを表示する関連付け表示手段を備えているネットワーク管理システム。
【請求項２】
前記関連付け表示手段は、前記端末表示情報として、この端末表示情報に対応する端末識別情報で識別される通信端末のモニタに表示されている操作画面の表示を行う請求項１記載のネットワーク管理システム。
【請求項３】
前記関連付け表示手段は、前記複数の通信端末にインストールされているアプリケーションが通信ネットワークを介して前記ストレージに接続したことを判別した際に、前記接続情報取得部から前記端末識別情報と前記ファイル特定情報とを取得し、前記モニタにおいて前記端末表示情報とファイル表示情報とを関連付けるように関連付けイメージの表示を行う請求項１又は２記載のネットワーク管理システム。
【請求項４】
前記通信ネットワークに接続する管理サーバを備え、この管理サーバは、前記複数の通信端末からの操作ログを通信ネットワークを介して取得すると共に、前記特定の通信端末が、通信ネットワークを介して前記ストレージに接続したことを判別した際に、前記操作ログに基づいて、前記ストレージに既に接続している前記通信端末を識別する端末識別情報と、この既に接続している通信端末が接続する情報ファイルを特定するファイル特定情報とを取得して、前記特定の通信端末に送信する接続情報送信部を備えている請求項１〜３のいずれか一項に記載のネットワーク管理システム。
【請求項５】
前記ストレージが通信ネットワークに接続するファイルサーバで構成され、このファイルサーバは、前記特定の通信端末が通信ネットワークを介して接続したことを判別した際には、保存されている情報ファイルに対して既に接続状態している通信端末を識別する端末識別情報と、この既に接続している通信端末が接続する情報ファイルを特定するファイル特定情報とを、前記特定の通信端末に送信する接続情報送信部を備えている請求項１〜３のいずれか一項に記載のネットワーク管理システム。
【請求項６】
複数の通信端末とストレージとが接続する通信ネットワークにおけるネットワーク管理用プログラムであって、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを前記特定の通信端末において取得する接続情報受信機能をコンピュータよって実現すると共に、
前記特定の通信端末のモニタに対して、前記端末識別情報に対応する端末表示情報と、前記ファイル特定情報に対応するファイル表示情報とを関連付ける関連付けイメージを表示する関連付け表示機能をコンピュータによって実現するネットワーク管理用プログラム。
【発明の詳細な説明】
【技術分野】
【０００１】
本発明は、複数の通信端末とストレージとが接続する通信ネットワークにおけるネットワーク管理システム及びネットワークの管理用プログラムに関し、詳しくは、通信ネットワークを介して取得した情報を通信端末のモニタに表示する技術に関する。
【背景技術】
【０００２】
上記した技術と関連するものとして、遠隔制御サーバとクライアント端末（本発明の通信端末）とが通信ネットワークを介して接続され、遠隔制御サーバにおいてクライアント端末からのアクセス要求情報を受け付けた場合には、クライアント端末ではモニタに表示されている画像データを遠隔制御サーバ（本発明の管理サーバ）に送信し、遠隔制御サーバでは受信した画像データをモニタに対して縮小し一覧化して表示すると共に、遠隔制御サーバのキャプチャ画像記録手段がクライアント端末の画面をキャプチャ画像として所定のインターバルで操作ログに記録し、この記録の後には、遠隔制御サーバの再生手段が操作ログに記録されたキャプチャ画像の再生を行えるものが存在する（例えば、特許文献１参照）。
【０００３】
この特許文献１では、複数のクライアント端末から送信される画像データを遠隔制御サーバのモニタに表示する際には、夫々の画面の画像データを縮小し、複数の画像データを一覧化して視認できるように表示形態が設定され、管理サーバを管理する者が画像データから操作の内容を把握できるものとなる。
【０００４】
また、通信ネットワーク内に存在する各デバイスにおけるアクセス履歴をネットワークサーバが保管し、このアクセス履歴を判定ルールに基づいてデバイスの状態を判定し、その判定の結果をクライアントコンピュータのディスプレイに表示するものが存在する（例えば、特許文献２）。
【０００５】
【特許文献１】特開２００６−１０８９４７号公報  （段落番号〔００６５〕〜〔００７７〕、図１〜図５）
【特許文献２】特開２００６‐１０７４５６号公報  （段落番号〔０００８〕〜〔００４２〕、図１、図２）
【発明の開示】
【発明が解決しようとする課題】
【０００６】
ここで、ファイルサーバの情報ファイルに対して、通信端末が通信ネットワークを介して接続し、情報ファイルの更新を行うことを考えると、その情報ファイルに接続を実行した時点で、その情報ファイルに対して既に接続する通信端末が存在する場合には、接続は可能であっても、例えば、ビューモードで接続する状態となり更新が不能になることがある。
【０００７】
具体的には、ファイルサーバの所定のフォルダをカーソルで選択して開き、更に、目的とする情報ファイルをカーソルで選択して開く操作を行った時点で、既に他の通信端末が接続している状況では、情報ファイルがビューモードで開くことになり、閲覧は可能であるが、編集し、更新することが不能となり、このような状況にあることを判別するには、情報ファイルをカーソルで選択し、クリック等の操作を行った後に始めて判別可能となるため、時間を無駄にするものであった。
【０００８】
このように情報ファイルにアクセスする際に、既に接続している通信端末の存在の有無の確認は、各通信端末において時間の無駄を解消するために有用であり、改善が望まれている。
【０００９】
また、ネットワークを管理する観点から、例えば、通信端末をファイルサーバに接続した際に、他の通信端末でどのような作業が行われているのか、把握したい場合があり、また、他の通信端末が情報ファイルに接続するものの、情報ファイルに対する作業が長時間に亘って行われていない状況についても把握したい場合もある。
【００１０】
これに対して、特許文献１に記載されたものでは、通信ネットワークに接続する複数の通信端末における操作状況を管理サーバ側の管理モニタに表示できるため、管理サーバ側において、各通信端末においてどのような操作が行われているのか視覚的に把握することが可能であるものの、管理モニタに表示される情報から、ファイルサーバに対する接続の有無を判断することは、複数のモニタの画像データ中のカーソルの動きや、開いているファイルを識別することが必要となり、ファイルサーバに対する接続の有無を判断できた場合でも、この判断結果を複数の通信端末に反映させるためには、管理サーバを管理する者が特別の操作を行うことが必要となり実現性が低いものである。
【００１１】
また、特許文献２に記載されるデバイスのアクセス履歴から判定ルールに基づいてデバイスの状態を判定するものは、デバイスとしてのファイルサーバがアクティブか非アクティブかの判定が可能であるものの、特定の情報ファイルに対する通信端末からのアクセスを判断できないものであり、前述した不都合を解消できないものであった。
【００１２】
本発明の目的は、通信端末からストレージの情報ファイルに接続する際には、その情報ファイルに対する他の通信端末の接続の状況を各通信端末から簡便に把握できるようにする点にある。
【課題を解決するための手段】
【００１３】
本発明の特徴は、複数の通信端末とストレージとが接続する通信ネットワークにおけるネットワーク管理システムにおいて、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを取得して、前記特定の通信端末に与える接続情報取得部を備えると共に、
前記特定の通信端末は、その通信端末のモニタに対して、前記端末識別情報に対応する端末表示情報と、前記ファイル特定情報に対応するファイル表示情報とを関連付ける関連付けイメージを表示する関連付け表示手段を備えている点にある。
【００１４】
この構成によると、特定の通信端末が通信ネットワークを介してストレージに接続した際には、そのストレージに既に接続している他の通信端末を識別する端末識別情報と、この既に接続している通信端末が接続する情報ファイルを特定するファイル特定情報とを接続情報取得部が取得し、ストレージに接続した通信端末に与えることになる。通信端末では、その通信端末に備えられたモニタにおいて、端末識別情報に対応するアイコン等の端末表示情報と、ファイル特定情報に対応するアイコン等のファイル特定情報とを関連付ける関連付けイメージを、関連付け表示手段が表示する。従って、通信端末からストレージの情報ファイルに接続する際には、情報ファイルに接続する操作を行わずとも、その情報ファイルに対する他の通信端末の接続の状況を通信端末のモニタにおいて簡便に把握できるものとなった。特に、通信端末からストレージに接続した場合には、情報ファイルに対する他の通信端末の接続状況を把握できるため、他の通信端末における作業状況を把握できると云う効果も奏する。
【００１５】
本発明は、前記関連付け表示手段は、前記端末表示情報として、この端末表示情報に対応する端末識別情報で識別される通信端末のモニタに表示されている操作画面の表示を行っても良い。これによると、情報ファイルに接続中の通信端末のモニタの操作画面から他の通信端末で起動しているアプリケーションを把握することや、操作の具体的な内容を把握することも可能となる。
【００１６】
本発明は、前記関連付け表示手段が、前記複数の通信端末にインストールされているアプリケーションが通信ネットワークを介して前記ストレージに接続したことを判別した際に、前記接続情報取得部から前記端末識別情報と前記ファイル特定情報とを取得し、前記モニタにおいて前記端末表示情報とファイル表示情報とを関連付けるように関連付けイメージの表示を行っても良い。これによると、例えば、ストレージに保存されている情報ファイルとしての文書ファイルをワードプロセッサやテキストエディタ等のアプリケーションで開く場合でも、他のソフトウエアを起動させることなく、そのアプリケーションに対する操作を行うだけで、開こうとしている情報ファイルに対して既に接続している通信端末が存在する場合には、その通信端末を識別することが可能となる。
【００１７】
本発明は、前記通信ネットワークに接続する管理サーバを備え、この管理サーバは、前記複数の通信端末からの操作ログを通信ネットワークを介して取得すると共に、前記特定の通信端末が、通信ネットワークを介して前記ストレージに接続したことを判別した際に、前記操作ログに基づいて、前記ストレージに既に接続している前記通信端末を識別する端末識別情報と、この既に接続している通信端末が接続する情報ファイルを特定するファイル特定情報とを取得して、前記特定の通信端末に送信する接続情報送信部を備えても良い。これによると、通信端末においてストレージに接続する操作を行った際には、管理サーバが操作ログから既に接続状態にある端末識別情報と、ファイル特定情報とを取得して、その通信端末に与えるので、ストレージに接続した通信端末では他の通信端末から接続情報を取得する処理を行わずとも、目的とする情報ファイルの接続状況を把握できるものとなる。
【００１８】
本発明は、前記ストレージが通信ネットワークに接続するファイルサーバで構成され、このファイルサーバは、前記特定の通信端末が通信ネットワークを介して接続したことを判別した際には、保存されている情報ファイルに対して既に接続している通信端末を識別する端末識別情報と、この既に接続している通信端末が接続する情報ファイルを特定するファイル特定情報とを、前記特定の通信端末に送信する接続情報送信部を備えても良い。これによると、通信端末においてファイルサーバに接続する操作を行った際には、ファイルサーバの接続情報送信部が、既に接続状態にある端末識別情報と、ファイル特定情報とを、その通信端末に送信するので、ファイルサーバに接続した通信端末では他の通信端末から接続情報を取得する処理を行わずとも、目的とする情報ファイルの接続状況を把握できるものとなる。
【００１９】
本発明の特徴は、複数の通信端末とストレージとが接続する通信ネットワークにおけるネットワーク管理用プログラムにおいて、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを前記特定の通信端末において取得する接続情報受信機能をコンピュータよって実現すると共に、
前記特定の通信端末のモニタに対して、前記端末識別情報に対応する端末表示情報と、前記ファイル特定情報に対応するファイル表示情報とを関連付ける関連付けイメージを表示する関連付け表示機能をコンピュータによって実現する点にある。
【００２０】
これによると、特定の通信端末が通信ネットワークを介してストレージに接続した際には、そのストレージに既に接続している他の通信端末を識別する端末識別情報と、この既に接続している通信端末が接続する情報ファイルを特定するファイル特定情報とを接続情報受信機能が取得する。次に、この通信端末のモニタにおいて、端末識別情報に対応するアイコン等の端末表示情報と、ファイル特定情報に対応するアイコン等のファイル特定情報とを関連付ける関連付けイメージを関連付け表示機能が表示する。従って、通信端末からストレージの情報ファイルに接続する際には、情報ファイルに接続する操作を行わずとも、その情報ファイルに対する通信端末の接続の状況を各通信端末から簡便に把握できるプログラムが構成された。
【発明を実施するための最良の形態】
【００２１】
以下、本発明の実施形態を図面に基づいて説明する。
〔ネットワーク管理システム〕
図１に示すように、コンピュータで成る管理サーバＡと、この管理サーバＡを制御するコンピュータで成る管理端末Ｂと、コンピュータで成る複数の通信端末Ｃ（クライアントＰＣ）と、ストレージとして機能するファイルサーバＤとが通信ネットワークＬで接続されている。この通信ネットワークＬでは、管理サーバＡと通信端末ＣとファイルサーバＤとの協働によってネットワークを管理するネットワーク管理システムが構成される。
【００２２】
前記通信ネットワークＬは、企業や学校等の限られた施設内において情報を物理的に送るケーブルと、ＬＡＮスイッチやハブ等で成る中継器等を備えたＣＳＭＡ／ＣＤ（Carrier Sense Multiple Access with Collision Detection）方式のイーサネット（Ethernet）（商標）型のＬＡＮとして構築されたものであるが、この通信ネットワークＬとしてイーサネット型のＬＡＮ以外に、インターネットの技術を用いたイントラネットで構築されるものや、ＷＡＮ（Wide Area Network）の技術によって構築されるものでも良い。
【００２３】
前記管理サーバＡはコンピュータ本体１、サーバモニタ２、キーボード３、マウスＭ等を備え、前記管理端末Ｂはコンピュータ本体４、管理モニタ５、キーボード６、トラックパッドＴ、マウスＭ等を備え、前記通信端末Ｃは、コンピュータ本体７、モニタ８、キーボード９、トラックパッドＴ、マウスＭ等を備えている。
【００２４】
管理端末ＢではマウスＭとトラックパッドＴとキーボード６のカーソルキーとがポインティングデバイスとして機能し、これと同様に通信端末Ｃにおいても、マウスＭとトラックパッドＴとキーボード９のカーソルキーとがポインティングデバイスとして機能する。ポインティングデバイスはこれらに限るものではなく、トラックボールを用いることや、管理モニタ５や、モニタ８の表示面にタッチパネルを形成し、タッチパネルを用いる等様々な機能のものの使用が可能である。
【００２５】
このネットワーク管理システムでは、複数の通信端末Ｃのモニタ８に表示される操作画面Ｇ（デスクトップに表示されたイメージ）と、通信端末Ｃの操作ログとを通信ネットワークＬを介して管理サーバＡが取得し、管理に必要な処理を行う。この管理サーバＡによって管理に必要な処理で生成された情報は、前記サーバモニタ２に表示可能であるが、この情報は管理サーバＡが通信ネットワークＬに送り出し、管理サーバＡが受信することにより、この管理端末Ｂの管理モニタ５に表示される。尚、管理サーバＡによって管理に必要な処理を前記サーバモニタ２に表示する場合には、このサーバモニタ２が管理モニタとして機能する。
【００２６】
具体的なものの一例を挙げると、管理画面４０（図３を参照）が管理モニタ５に表示され、この管理画面４０において操作画面Ｇ、操作ログ等の情報が表示される。
【００２７】
このネットワーク管理システムでは、前記複数の通信端末Ｃのうち何れであっても、ファイルサーバＤに接続（ログイン）した際には（この接続を開始した通信端末を以下、ログイン端末と称する）、ファイルサーバＤに既に接続している通信端末Ｃ（この既に接続状態にある通信端末を以下、既接続端末と称する）を識別する端末識別情報と、この既接続端末Ｃが接続している情報ファイルを特定するファイル特定情報とを含む接続情報を取得する。このように接続情報を取得した後には、その通信端末Ｃ（ログイン端末）のモニタ８において、通信端末Ｃ（既接続端末）に対応したアイコン等の端末表示情報と、ファイル特定情報に対応するアイコン等のファイル特定情報とを関連付けるように関連付けイメージを表示する紐付け表示が行われる。この紐付け表示の処理の詳細は後述する。
【００２８】
この紐付け表示は全ての通信端末Ｃにおいて実現するものであるが、一部の通信端末Ｃにおいてのみ実現するようにネットワーク管理システムを構成しても良い。
【００２９】
本発明のネットワーク管理システムでは、通信ネットワークＬに送信される操作画面Ｇ、及び、操作ログには、通信端末Ｃを識別する端末識別情報と、取得した日時情報とが与えられるものであり、この操作画面Ｇと操作ログとを含む情報を操作情報と称している。尚、端末識別情報としては通信時に端末を識別するために用いられるＭＡＣアドレスやＩＰアドレスを想定しているが、通信端末毎に任意に設定したユニークな識別情報を用いても良い。
【００３０】
〔システムの制御系・通信端末〕
ネットワーク管理システムの制御系の概要を図２のように示すことが可能である。つまり、通信端末Ｃは、モニタ８に必要な情報をアイコン等のイメージで表示することによりアプリケーション１１の実行を制御するＧＵＩ部１２を備えると共に、このアプリケーション１１の実行時にモニタ８に表示された画像（デスクトップの画像）を操作画面Ｇとして取得する操作画面取得部１３と、操作ログを取得する操作ログ取得部１４と、この操作ログ取得部からの操作ログと操作画面とを通信ネットワークＬから管理サーバに送信する情報送受信ユニット１５とを備えている。
【００３１】
また、この通信端末Ｃには、情報送受信ユニット１５を介して接続情報（後述するアクセスログを含む）を受信する接続情報受信部１６（接続情報受信機能の一例）と、この接続情報受信部１６に基づいて前記紐付け表示を行う関連付け表示手段１７（関連付け表示機能の一例）と、管理サーバＡに対して操作画面を要求する情報を送信する操作画面要求部１８と、前記アプリケーション１１によってファイルサーバＤに接続した際にオープン情報を前記管理サーバＡに送信する情報送信部１９とを備えている。
【００３２】
前記操作画面要求部１８は、端末識別情報に対応する端末表示情報として操作画面Ｇを要求するものであるため、操作画面Ｇの表示を行わない場合には、これに代えて、アイコンやシンボルなどの端末表示情報を取得する機能を有する端末表示情報取得部と置き換えても良い。
【００３３】
前記操作画面取得部１３は１秒間に１コマ程度の操作画面を取得すると共に、取得した操作画面Ｇを、ＪＰＥＧ形式（Joint Photographic Experts Groupが制定した形式）等の形式に圧縮処理を行う。また、操作ログ取得部１４は、設定されたインターバル毎に、あるいは、イベント発生時に取得した操作ログを取得する。前述したように、操作画面と操作ログとを併せたものを操作情報と称している。従って、この操作情報は、通信端末Ｃを識別する端末識別情報と操作画面Ｇと操作ログの取得日時を特定する日時情報を与えて情報送受信ユニット１５から管理サーバＡに送信される。
【００３４】
尚、これら操作画面取得部１３と、操作ログ取得部１４と、接続情報受信部１６と、関連付け表示手段１７と、操作画面要求部１８と、情報送信部１９とはソフトウエアで構成されるものであるが、これらをソフトウエアとハードウエアとの組み合わせによって構成して良く、ロジック等を組み合わせたハードウエアのみで構成しても良い。
【００３５】
〔管理サーバ〕
前記管理サーバＡは、通信ネットワークＬに対して情報の送受信を行う情報送受信ユニット２１を備えると共に、この情報送受信ユニット２１で受信した操作情報から操作画面Ｇを取得してメモリやハードディスクＨＤに保存する操作画面保存部２２と、受信した操作情報から操作ログを取得してメモリやハードディスクＨＤに保存する操作ログ保存部２３と、操作画面保存部２２及び操作ログ保存部２３からの情報の処理を行う管理情報処理部２４と、これら操作画面保存部２２、操作ログ保存部２３、管理情報処理部２４夫々からの情報に基づいて前記管理画面４０を生成する管理画面生成手段２５とを備えている。
【００３６】
この管理サーバＡは、前記情報送受信ユニット２１からファイルサーバＤに接続した通信端末Ｃ（ログイン端末）を特定する端末識別情報を取得すると共に、前記管理情報処理部２４から接続情報を取得する接続情報取得部２６と、この接続情報取得部２６で取得した接続情報を、その通信端末Ｃ（ログイン端末）に送信する接続情報送信部２７とを備えている。
【００３７】
更に、この管理サーバＡには、キーボード３やマウスＭ等からの操作情報をサーバモニタ２に反映させながら操作情報の入力を実現するＧＵＩ部３０を備え、前記管理画面生成手段２５からの情報を前記サーバモニタ２に出力する、又は、前記管理端末Ｂに送り出す画像出力ユニット２９を備えている。
【００３８】
前記接続情報とは、ファイルサーバＤに接続する通信端末Ｃ（既接続端末）を特定するＩＰアドレスやＭＡＣアドレス等の情報を端末識別情報として含むと共に、この通信端末Ｃ（既接続端末）が接続する情報ファイルのファイル名や属性情報等を含むファイル特定情報を含む。特に、後述するようにこの接続情報の送信時には端末識別情報で識別される通信端末Ｃの操作画面Ｇも併せて送信される。
【００３９】
尚、操作画面保存部２２と、操作ログ保存部２３と、管理情報処理部２４と、接続情報取得部２６と、接続情報送信部２７とはソフトウエアで構成されるものであるが、これらをソフトウエアとハードウエアとの組み合わせで構成して良く、ロジック等を組み合わせたハードウエアのみで構成しても良い。
【００４０】
〔管理端末〕
前記管理端末Ｂは、通信ネットワークＬに対して情報の送受信を行う情報送受信ユニット３２と情報のアクセスを行い、処理された情報を前記管理モニタ５に表示する情報処理部３３を備え、キーボード６やマウスＭ等からの操作情報を管理モニタ５に反映させながら情報処理部に入力する実現するＧＵＩ部３４を備えている。
【００４１】
図２では、管理サーバＡでの処理情報を受信して管理モニタ５に表示する処理形態としているが、同図に示す構成の一部を管理端末Ｂに備えることにより、この管理サーバＡで一部の処理を行い、管理端末Ｂにおいて残りの一部の処理を行うように構成しても良い。
【００４２】
尚、この情報処理部３３は、ソフトウエアで構成されるものであるが、ソフトウエアとハードウエアとの組み合わせで構成して良く、これらをロジック等を組み合わせたハードウエアのみで構成しても良い。
【００４３】
〔ファイルサーバ〕
前記ファイルサーバＤ（ストレージの一例）は、通信ネットワークＬに対して情報の送受信を行う情報送受信ユニット３６を備えると共に、この情報送受信ユニット３６を介して情報のアクセスを行い、かつ、情報ファイルを保存する情報保存部３７と、接続情報保存部３８と、この接続情報保存部３８に保存されている接続情報を前記関連付け表示手段１７が備えられた通信端末Ｃに送信する接続情報送信部３９とを備えている。
【００４４】
具体的に説明すると、前記情報保存部３７はハードディスク等のストレージを備えており、前記接続情報保存部３８は、情報保存部３７に情報ファイルに接続した通信端末Ｃを識別する端末識別情報（ＭＡＣアドレスやＩＰアドレス等）と、その通信端末Ｃが接続した情報ファイルを特定するファイル特定情報（例えばファイル名）とをログ情報として保存する機能を有するものを想定している。また、前記接続情報送信部３９は、接続情報保存部３８に保存されているログ情報のうち、現在接続状態にある通信端末Ｃ（既接続端末）の端末識別情報と、その通信端末Ｃ（既接続端末）が接続している情報ファイルのファイル特定情報とを抽出したものをアクセスログ（接続情報）として、接続情報の要求を行った通信端末Ｃ（ログイン端末）に送信する処理を行う。
【００４５】
このファイルサーバＤは、通信ネットワークＬにおいて通信端末Ｃから接続可能な情報ファイルを保存する機能を有するストレージ全般を指すものである。本発明のストレージは、ファイルサーバＤとして独立したもの以外に、管理サーバＡや通信端末Ｃに備えられているハードディスク等であっても良い。また、情報ファイルとしては文書データの他に、ＣＡＤデータや画像データ等が含まれる。
【００４６】
〔管理画面〕
前記管理画面４０は、図３に示すように、基本的に管理端末Ｂの管理モニタ５に表示されるものであり、上部位置に画面再生ボタン４１、ログ閲覧ボタン４２、ＰＣ情報ボタン４３、リモート制御ボタン４４、アラート設定ボタン４５等がアイコンの形で表示され、この管理画面４０の下部には操作画面表示領域４０Ａと、メッセージ表示部４０Ｂと、端末一覧表示部４０Ｃとが形成されている。
【００４７】
この管理画面４０では、カーソルＣｕの操作によって必要とする操作を実現するものであり、このカーソルＣｕを用いて前記画面再生ボタン４１を操作することで操作画面Ｇが動画の形式で再生表示され、ログ閲覧ボタン４２を操作することで操作ログの一覧表示が行われ、ＰＣ情報ボタン４３を操作することで通信端末ＣのＰＣ情報が表示され、リモート制御ボタン４４を操作することで通信端末Ｃを指定した状態でのリモート制御が実現する。
【００４８】
操作画面表示領域４０Ａには複数の矩形の表示フレームＥの内部領域に操作画面Ｇを表示しており、この表示フレームＥの下部には通信端末Ｃを特定する識別情報や通信端末Ｃを操作するユーザの名前等の情報を表示する情報表示部Ｅａが形成されている。また、前記メッセージ表示部４０Ｂには、処理に必要な情報が表示され、前記端末一覧表示部４０Ｃには通信ネットワークＬに接続している通信端末Ｃの情報が一覧化して表示される。
【００４９】
前述したように操作画面取得部１３が１秒間に１コマ程度の操作画面Ｇを取得して管理サーバＡに送信するため、操作画面表示領域４０Ａに表示される操作画面Ｇは１秒程度の時間間隔で更新され、リアルタイムで操作の状況を表すものとなる。これにより、その通信端末Ｃで行われている操作の内容を把握できるばかりでなく、操作のリスクの有無の判断も可能にしている。
【００５０】
〔紐付け表示の処理形態〕
本発明の通信ネットワークＬでは、前記通信端末Ｃのアプリケーション１１として、例えば、図４に示すようにワードプロセッサを起動してウインドウＷを表示し、このワードプロセッサのオープンダイアログ６０を表示してファイルサーバＤに接続する操作を行った際には、このオープンダイアログ６０に対して、紐付け表示を行える点に特徴を有している。
【００５１】
この前記紐付け表示の具体例として、情報ファイルに対応するアイコンとして表示されるファイルイメージＦと、その情報ファイルに接続している通信端末Ｃ（既接続端末）から取得した操作画面Ｇ（通信端末Ｃに対応するアイコンでも良い）とを関連付けるラインイメージＳを表示することにより視覚的に関連付けを把握できるものにしている。尚、図４ではファイルイメージＦに付された名称（ファイル名）に対してラインイメージによる紐付け表示を行っているが、本発明は、名称（ファイル名）とファイルイメージＦとの何れに対して紐付け表示を行っても良い。
【００５２】
その処理形態として、通信端末ＣがファイルサーバＤに接続した際に、管理サーバＡが通信ネットワークＬを介して各通信端末Ｃから取得している操作ログに基づいてファイルサーバＤに既に接続している通信端末Ｃ（既接続端末）と、情報ファイルとの関係を示す接続情報を通信端末Ｃ（ログイン端末）が取得することで紐付け表示を実現する第１の処理形態と、通信端末ＣがファイルサーバＤに接続した際に、そのファイルサーバＤからアクセスログ（接続情報）を通信端末Ｃが取得すると共に、管理サーバＡから通信端末Ｃ（既接続端末）の操作画面Ｇを取得することで紐付け表示を実現する第２の処理形態とが考えられ、夫々の処理形態を以下に説明する。
【００５３】
〔第１の処理形態〕
複数の通信端末Ｃの何れかにおいてアプリケーション１１を実行し、そのアプリケーション１１のウインドウＷにおいてファイルを開く操作を行った場合には、図４に示す如く、そのアプリケーションのウインドウＷの前面側にオープンダイアログ６０が表示される。このオープンダイアログ６０は、矩形のフレームの上部に接続対象のファイルの場所を指定するアドレスバー６１と、複数のツール用のアイコン６２等が配置され、この下部位置にファイル指定領域６３（ツーリービュー）と、ファイル表示領域６４と、操作画面表示領域６５とが配置され、この操作画面表示領域６５の側部にスクロールバー６５Ｓが配置され、更に、この下部位置にファイル情報領域と６６、６７と開くボタン６８と、キャンセルボタン６９とが配置された構造を有している。
【００５４】
図５のフローチャートに示すように、このオープンダイアログ６０において、アドレスバー６１やファイル指定領域６３においてファイルサーバＤを指定（接続）することで、ファイル指定領域６３に対して、階層に対応したフォルダがツリー形式で表示され、表示されたフォルダをカーソルで選択することにより、フォルダ内の情報ファイルのファイルイメージＦ（ファイル表示情報）がファイル表示領域６４に表示され、このようにオープンダイアログ６０を表示してファイルサーバＤに接続する操作が行われた際には、要求情報が管理サーバＡに送信される（＃１０１、＃１０２ステップ）。
【００５５】
この処理において、オープンダイアログ６０を表示し、ファイルサーバＤに接続した後にファイルイメージＦが表示されるまでの処理はアプリケーション１１が行い、このように表示されたファイルイメージＦが紐付け対象に設定される。また、要求情報は前記情報送信部１９が管理サーバＡに送信するものであり、この要求情報には通信端末Ｃ（ログイン端末）の識別が可能な端末識別情報が含まれる。
【００５６】
この要求情報を管理サーバＡが受信した場合には、前記接続情報取得部２６が前記管理情報処理部２４に接続情報を要求する。この管理情報処理部２４は、前記接続情報取得部２６からの要求に基づいて操作ログ保存部２３に保存されている操作ログから前記ファイルサーバＤの情報ファイルに接続している（開いている）通信端末Ｃ（既接続端末）の端末識別情報と接続日時と、この通信端末Ｃ（既接続通信端末）が接続している情報ファイルを特定するファイル特定情報とを含む接続情報を取得し、更に、この接続情報と、通信端末Ｃ（既接続端末）の操作画面Ｇ（イメージ情報）とを前記接続情報取得部２６に与える。
【００５７】
フローチャートには示していないが、この管理サーバＡでは、要求情報を受信した後には、要求された通信端末Ｃ（既接続端末）の操作画面を新たに取得する毎に、画面要求情報を送信した通信端末Ｃ（ログイン端末）に送信する処理を継続的に行う。これにより、オープンダイアログ６０に表示された操作画面Ｇは１秒程度の時間間隔で更新され、動画として表示される。前述したように操作画面取得部１３では１秒間に１コマ程度の操作画面を取得するため、オープンダイアログ６０に表示される操作画面Ｇも１秒程度の時間間隔で操作画面Ｇが更新されるものであるが、この操作画面Ｇの更新インターバルは１秒に限るものではなく、これより長い時間でも良く、１秒より短い時間間隔でも良い。特に、操作画面取得部１３において、例えば、ＭＰＥＧ２形式（Moving Picture Experts Groupが制定した形式）で操作画面を取得することにより、オープンダイアログ６０において操作画面Ｇを動画として表示するように構成しても良い。
【００５８】
特に、本発明ではファイルサーバＤに通信端末Ｃが接続した際に、既に接続している通信端末Ｃにおいてモニタ８に表示されている操作画面Ｇを、既に接続している通信端末Ｃから、通信ネットワークＬを介して直接的に取得するように操作画面Ｇの取得系を構成しても良い。このように操作画面Ｇの取得系を構成することにより、管理サーバＡにおける処理の負荷を軽減できる。
【００５９】
次に、接続情報取得部２６は、管理情報処理部２４からの取得した接続情報と、操作画面Ｇとを前記接続情報送信部２７に与え、この接続情報送信部２７は、オープン情報で特定される通信端末Ｃ（ログイン端末）に対して接続情報と、操作画面Ｇ（端末表示情報として使用される）とを送信することになる。
【００６０】
この接続情報は通信端末Ｃ（ログイン端末）の接続情報受信部１６で受信され、図４に示すように、関連付け表示手段１７が、ファイル表示領域６４に表示されているファイルイメージＦと接続状態にある通信端末Ｃ（既接続端末）を特定し、その通信端末Ｃ（既接続端末）の操作画面Ｇ（端末表示情報）を、オープンダイアログ６０の操作画面表示領域６５において、対応する情報ファイルのファイルイメージＦと対向する位置に表示し、接続するもの同士の間にラインイメージＳ（関連付けイメージ）を表示する。そして、この接続情報が更新される毎に繰り返して行われると共に、オープンダイアログ６０が閉じられるまで継続する（＃１０４、＃１０５ステップ）。
【００６１】
このようにファイルイメージＦと、通信端末Ｃ（既接続端末）の操作画面Ｇとを並列的に表示し、ラインイメージＳによって関連付けて表示することにより、ファイルサーバＤに接続した通信端末Ｃでは、モニタ８の表示から情報ファイルに対する通信端末Ｃ（既接続端末）の接続の有無を判断できるばかりでなく、接続している通信端末Ｃ（既接続端末）における操作の状況を操作画面Ｇから取得でき、この通信端末ＣからファイルサーバＤに接続する際には、情報ファイルに接続する操作を行わずとも、その情報ファイルに対する他の通信端末Ｃの接続の状況を把握できるのである。
【００６２】
そして、このオープンダイアログ６０に表示されたファイルイメージＦをカーソルで選択した場合には、対応する情報ファイルの名称や属性等の情報が、前記ファイル情報領域６６、６７に表示され、この後、開くボタン６８を操作することで、選択したファイルイメージＦに対応する情報ファイルを開く（接続）することができる。
【００６３】
この第１の処理形態での処理を実現するために、通信端末Ｃでは情報送信部１９と、接続情報受信部１６と、関連付け表示手段１７とがアプリケーション１１と連係して機能する必要があるため、これら情報送信部１９と、接続情報受信部１６と、関連付け表示手段１７とはアプリケーション１１に組み込むものを想定しているが、アプリケーション１１の実行時に起動するものや、常駐型のプログラムとしてセットされるものでも良い。
【００６４】
特に、この第１の処理形態では、アプリケーション１１においてファイルを開く操作が行われた場合には、そのアプリケーション１１のオリジナルのオープンダイアログを表示し、前述したファイル指定領域６３と、ファイル表示領域６４と、操作画面表示領域６５とを有するウインドを独立して表示し、このウインドウにおいて、情報ファイルのファイルイメージＦと、対応する操作画面ＧとをラインイメージＳによって関連付けるように処理形態を設定しても良い。
【００６５】
〔第２の処理形態〕
この第２の処理形態では、アプリケーション１１を実行し、そのアプリケーション１１のウインドウＷにおいてファイルを開く操作を行うことにより、図４に示すオープンダイアログ６０が表示されるまでの処理は、前述した第１の処理形態と全く同じであり、表示されるオープンダイアログ６０の構造も全く同じであるが、このオープンダイアログ６０を表示した際に、送信される情報の構造が異なり、送信先がファイルサーバＤと管理サーバＡとである点が異なるものである。
【００６６】
つまり、オープンダイアログ６０において、アドレスバー６１やファイル指定領域６３においてファイルサーバＤを指定（接続）することで、ファイル指定領域６３に対して、階層に対応したフォルダがツリー形式で表示され、表示されたフォルダをカーソルで選択することにより、フォルダ内の情報ファイルのファイルイメージＦ（ファイル表示情報）がファイル表示領域６４に表示され、このようにオープンダイアログ６０を表示してファイルサーバＤに接続する操作が行われた際には、ログ要求情報がファイルサーバＤに送信される（＃１０１、＃１０２ステップ）。
【００６７】
この処理において、オープンダイアログを表示し、ファイルサーバＤに接続した後にファイルイメージＦが表示されるまでの処理はアプリケーションが行い、このように表示されたファイルイメージＦが紐付け対象に設定される。また、ログ要求情報は前記情報送信部１９がファイルサーバＤに送信するものであり、このログ要求情報には通信端末Ｃ（ログイン端末）の識別が可能な端末識別情報が含まれる。
【００６８】
ログ要求情報をファイルサーバＤが受信した場合には、前記接続情報保存部３８に保存されているアクセスログ（接続情報）を、接続情報送信部３９が管理サーバＡに対して送信することになり、このアクセスログ（接続情報）を管理サーバＡが受信する。この受信時には接続情報取得部２６がアクセスログ（接続情報）を取得し、このアクセスログから紐付け対象に設定されている情報ファイルに接続する通信端末Ｃ（既接続端末）の端末識別情報を取得し、その通信端末Ｃの操作画面を要求する画面要求情報を前記操作画面要求部１８が管理サーバＡに送信する（＃１０３、＃１０４ステップ）。
【００６９】
ファイルサーバＤの接続情報保存部３８は、前述したように、情報保存部３７に情報ファイルに接続した通信端末Ｃの端末識別情報（ＭＡＣアドレスやＩＰアドレス等）と、その通信端末Ｃが接続した情報ファイルのファイル特定情報（例えばファイル名）とをログ情報として保存するものであり、前記接続情報送信部３９は、この接続情報保存部３８からのログ情報から現在接続状態にある通信端末Ｃの端末識別情報と、その通信端末Ｃが接続した情報ファイルのファイル特定情報とを抽出し、アクセスログとして情報送受信ユニット３６に与え、この情報送受信ユニット３６が通信端末Ｃ（ログイン端末）にアクセスログを送信する。
【００７０】
また、画面要求情報を管理サーバＡが受信した場合には、前記接続情報取得部２６は、前記管理情報処理部２４に対して、端末識別情報で識別される通信端末の操作画面Ｇを要求する。この管理情報処理部２４は、対応する通信端末Ｃ（既接続端末）の操作画面Ｇ（イメージ情報）を前記接続情報取得部２６に与え、この接続情報取得部２６は、管理情報処理部２４からの取得した操作画面Ｇを前記接続情報送信部２７に与え、この接続情報送信部２７は、要求があった通信端末Ｃ（ログイン端末）に対して操作画面Ｇ（端末表示情報として使用される）を送信する。
【００７１】
フローチャートには示していないが、この管理サーバＡでは、画面要求情報を受信した後には、要求された通信端末Ｃ（既接続端末）の操作画面を新たに取得する毎に、画面要求情報を送信した通信端末Ｃ（ログイン端末）に送信する処理を継続的に行う。これにより、オープンダイアログ６０に表示された操作画面Ｇは１秒程度の時間間隔で更新され、動画として表示される。
【００７２】
この操作画面Ｇは、通信端末Ｃ（ログイン端末）の接続情報受信部１６で受信され、この接続情報受信部１６は、この操作画面Ｇを関連付け表示手段１７に与える。この関連付け表示手段は、ファイル表示領域６４に表示されているファイルイメージＦと接続状態にある通信端末Ｃ（既接続端末）を特定し、その通信端末Ｃ（既接続端末）の操作画面Ｇ（端末表示情報）を、オープンダイアログ６０の操作画面表示領域６５において、対応する情報ファイルのファイルイメージＦと対向する位置に表示し、接続するもの同士の間にラインイメージＳ（関連付けイメージ）を表示する。そして、この接続情報が更新される毎に繰り返して行われると共に、オープンダイアログ６０が閉じられるまで継続する（＃１０５〜＃１０７ステップ）。
【００７３】
そして、このオープンダイアログ６０に表示されたファイルイメージＦをカーソルで選択した場合には、対応する情報ファイルの名称や属性等の情報が、前記ファイル情報領域６６、６７に表示され、この後、開くボタン６８を操作することで、選択したファイルイメージＦに対応する情報ファイルを開く（接続）することができる。
【００７４】
この第２の処理形態での処理を実現するために、通信端末Ｃでは情報送信部１９と、接続情報受信部１６と、関連付け表示手段１７と、操作画面要求部１８がアプリケーション１１と連係して機能する必要があるため、これら情報送信部１９と、接続情報受信部１６と、関連付け表示手段１７と、操作画面要求部１８とはアプリケーション１１に組み込むものを想定しているが、アプリケーション１１の実行時に起動するものや、常駐型のプログラムとしてセットされるものであっても良い。
【００７５】
特に、この第２の処理形態でも第１の処理形態において説明したものと同様に、アプリケーション１１においてファイルを開く操作が行われた場合には、そのアプリケーション１１のオリジナルのオープンダイアログを表示し、前述したファイル指定領域６３と、ファイル表示領域６４と、操作画面表示領域６５とを有するウインドを独立して表示し、このウインドウにおいて、情報ファイルのファイルイメージＦと、対応する操作画面ＧとをラインイメージＳによって関連付けるように処理形態を設定しても良い。
【００７６】
〔発明の概念〕
このように、本発明では、通信ネットワークＬに接続する複数の通信端末Ｃの何れであっても、ファイルサーバＤに接続した場合には、ファイルサーバＤの情報ファイルのうち、接続を試みる情報ファイルのファイルイメージＦを表示すると共に、この情報ファイルに接続している通信端末Ｃ（既接続端末）が存在する場合には、その操作画面Ｇを表示し、ファイルイメージＦとラインイメージＳ（関連付けイメージ）を介して紐付けする形態で通信端末Ｃ（ログイン端末）のモニタ８に表示（紐付け表示）することにより、情報ファイルに接続中の通信端末Ｃを視覚的に容易に把握できるのである。
【００７７】
操作画面Ｇから他の通信端末Ｃにおいて実行されているアプリケーションを特定できるばかりでなく、他の通信端末Ｃにおいてどのような作業が行われているのか比較的容易に把握できるものとなり、更に、情報ファイルに対して接続しているが情報ファイルに対する作業を長時間に亘って行っていない通信端末Ｃが存在する場合にも、ファイルサーバＤに接続した通信端末Ｃから把握できるため、例えば、他の通信端末Ｃを管理することや、監視することにも有効に活用できるのである。
【００７８】
また、通信端末Ｃで現在行われている状況をリアルタイムで示す操作画面Ｇを表示フレームＥとともに表示することにより、その通信端末Ｃで行われている操作の内容と、情報ファイルとの操作の関連性を視覚によって確認できるものとなる。
【００７９】
特に、アプリケーション１１を実行し、そのアプリケーション１１からファイルサーバＤの情報ファイルに接続する操作が行われた場合に表示されるオープンダイアログ６０において紐付け表示を行うものでは、特別な操作を行わずとも、従来から行われている操作を行うだけで、そのオープンダイアログ６０にファイルイメージＦと、これに関連付けられる操作画面Ｇが表示され、これらがラインイメージＳ（関連付けイメージ）によって関連付けられることにより、情報ファイルに接続中の通信端末Ｃを視覚的に容易に把握できる。
【００８０】
〔別実施形態〕
本発明は、上記した実施の形態以外に以下のように構成しても良い。
【００８１】
以下に説明する別実施形態では、上記したようにオープンダイアログ６０において紐付け表示を行う表示形態に適用すること以外に、専用の紐付け表示画面５０（図７以下に示している）を表示し、その紐付け表示画面５０において紐付けを行う表示形態を採用しても良い。特に、この紐付け表示画面５０は上記したようにアプリケーションにおいてファイルサーバＤに接続する操作と連係して表示されるものでも良く、所定の操作に基づきアプリケーションの操作と関係なく表示されるものであっても良い。
【００８２】
本発明では、通信端末ＣがファイルサーバＤに接続した際に、ファイルサーバＤに対して既に接続している通信端末Ｃの全ての操作画面Ｇ（端末表示情報）を表示する必要はなく、例えば、予め設定したグループに属する通信端末Ｃだけを表示対象に設定するものであっても良い。このように表示対象を予め設定できるものでは、オープンダイアログ６０や、以下に示す専用の紐付け表示画面５０において多数の操作画面Ｇが表示されることによる煩雑さを解消し、例えば、特定のグループ内の通信端末Ｃの管理を行う場合でも管理対象に設定した通信端末Ｃの操作状況を容易に把握できる。
【００８３】
ファイルサーバＤに対して既に接続している通信端末Ｃの全ての操作画面Ｇ（端末表示情報）を表示する際に、その操作画面Ｇの表示サイズを変更できるように表示形態を変更できるように構成しても良い。この表示サイズの変更なユーザが任意に設定するものであっても良いが、例えば、通信端末Ｃを操作するユーザに設定されている権限レベルが低いほど大きく表示することや、通信端末Ｃが接続する情報ファイルの重要度が高いものほど大きく表示する等、自動的に設定されるものであっても良い。この表示サイズの変更は、前記オープンダイアログ６０において表示される操作画面Ｇ、及び、以下に示す専用の紐付け表示画面５０に表示される操作画面Ｇに適用できる。
【００８４】
また、本発明の関連付け表示手段１７は、端末識別情報に対応する端末表示情報（操作画面Ｇ）と、ファイル特定情報に対応するファイル表示情報（ファイルイメージＦ）とを関連付ける関連付けイメージを表示するものであるため、操作画面Ｇを必ずしも表示する必要はなく、通信端末Ｃ（既接続端末）を示すアイコンを表示し、このアイコンとファイルイメージＦとを関連付ける関連付けイメージを表示するものであっても良い。この表示形態は、前記オープンダイアログ６０、及び、以下に示す専用の紐付け表示画面５０にも適用できる。
【００８５】
更に、本発明の関連付け表示手段１７は上記したように、端末識別情報に対応する端末表示情報（操作画面Ｇ）と関連付けイメージ（例えばラインイメージＳ）とを表示するように処理形態が設定されるもの以外に、例えば、以下に説明するもののように、ファイルイメージＦも併せて表示するように、この関連付け表示手段１７の処理形態を設定しても良い。この表示形態は、前記オープンダイアログ６０、及び、以下に示す専用の紐付け表示画面５０にも適用できる。
【００８６】
（ａ）図７（ａ）に示すように、紐付け表示画面５０において、情報ファイルを含むフォルダＸと通信端末Ｃの操作画面ＧとをラインイメージＳで関連付けて表示し、このフォルダＸをカーソルＣｕで選択することにより（例えば、ダブルクリック）、図７（ｂ）に示すように、フォルダＸに含まれる情報ファイルのファイルイメージＦと、対応する通信端末Ｃの操作画面ＧとをラインイメージＳで関連付けて表示する。このように階層表示が可能な表示形態を採用することにより、紐付け表示画面５０における表示を簡素化できると共に、情報ファイルのディレクトリ等の情報の把握が容易となる。
【００８７】
（ｂ）図８に示すように、紐付け表示画面５０において、情報ファイルのファイルイメージＦと操作画面Ｇとを表示し、このファイルイメージＦと操作画面Ｇとのうち接続状態にあるもの同士を結ぶラインイメージＳを表示すると共に、情報ファイルに接続する通信端末Ｃが多い場合には、この紐付け表示画面５０の外部で表示可能なスペースとなる領域に通信端末Ｃに対応する操作画面Ｇを表示し、これらの間にラインイメージＳを表示するように表示形態を設定する。つまり、操作画面Ｇは通信端末Ｃのモニタ８に表示されている情報であるため、その内容を把握するために適度の表示領域が必要である。このような理由から多くの通信端末Ｃが接続する情報ファイルに対しては管理モニタ５の空いたスペースを有効に利用することによ視認性を低下させずに関連付け表示を実現するのである。
【００８８】
（ｃ）情報ファイルのファイルイメージＦ（ファイル表示情報）と通信端末Ｃの操作画面Ｇ（端末表示情報）と関連付ける関連付けイメージとして、ラインイメージＳに代えて、図９に示すように、ファイルイメージＦ（ファイル表示情報）と通信端末Ｃの操作画面Ｇ（端末表示情報）とを取り囲む領域イメージＳで表示することや、幅の広いベルト状のイメージで結ぶように表示する等、視覚的に明らかな関連付け状態となるものであれば様々な表示形態を採用できる。
【００８９】
（ｄ）図１０（ａ）に示すように、情報ファイルのファイルイメージＦ（ファイル表示情報）をファイル表示画面５５に表示すると共に、通信端末Ｃの操作画面Ｇ（端末表示情報）を端末表示画面５６に表示し、ファイルイメージＦと操作画面Ｇとのうち接続状態にあるもの同士を関連付けるラインイメージＳを表示する。このよう表示されるラインイメージＳはファイル表示画面５５と端末表示画面５６に亘って表示されるものとなる。また、図１０（ｂ）に示すように、ファイルイメージＦと操作画面Ｇとのうち接続状態にあるもの同士を関連付けるラインイメージＳを表示する際に、操作画面Ｇを表示する表示フレームＥの下部の情報表示部Ｅａに対して接続状態にある情報ファイルのファイル名を表示する。このようにファイル名を表示することにより、例えば、ファイル表示画面５５のスクロールバー５５Ａ、あるいは、端末表示画面５６のスクロールバー５６Ａを操作して対応するものが画面に表示されない状況でも接続状態にあることを把握できるものとなる。
【００９０】
（ｅ）１つの通信端末Ｃが複数の情報ファイルに接続している場合、アクティブ状態にある情報ファイルのファイルイメージＦに関連付けられたラインイメージＳを、非アクティブ状態にあるラインイメージＳより濃く表示することや、太く表示する。この場合、非アクティブ状態にあるラインイメージＳを消去しても良い。このように表示形態を変更することにより、管理モニタ５における端末の管理、監視を効率的に行える効果を奏する。尚、この別実施形態では関連付けイメージとしてラインイメージＳを例にして説明したが、ラインイメージＳを異なるものであっても表示の際の濃度や太さの変更等の設定によりアクティブ状態を非アクティブ状態とを示すように表示することで同様の効果を奏することが可能となる。
【図面の簡単な説明】
【００９１】
【図１】通信ネットワークの概要を示す図
【図２】管理サーバと通信端末等との構成を示すブロック回路図
【図３】管理画面を示す図
【図４】オープンダイアログを示す図
【図５】第１の処理形態における紐付け表示ルーチンのフローチャート
【図６】第２の処理形態における紐付け表示ルーチンのフローチャート
【図７】別実施形態（ａ）の表示形態を示す図
【図８】別実施形態（ｂ）の表示形態を示す図
【図９】別実施形態（ｃ）の表示形態を示す図
【図１０】別実施形態（ｄ）の表示形態を示す図
【符号の説明】
【００９２】
８            モニタ
１１          アプリケーション
１６          接続情報取得部
１７          関連付け表示手段
２６          接続情報取得部
Ａ            管理サーバ
Ｃ            通信端末
Ｄ            ストレージ（ファイルサーバ）
Ｆ            ファイル表示情報・ファイルイメージ
Ｇ            端末表示情報・操作画面
Ｌ            通信ネットワーク
Ｓ            関連付けイメージ・ラインイメージ
【図１】
2008299651.tif 000003
【図２】
2008299651.tif 000004
【図３】
2008299651.tif 000005
【図４】
2008299651.tif 000006
【図５】
2008299651.tif 000007
【図６】
2008299651.tif 000008
【図７】
2008299651.tif 000009
【図８】
2008299651.tif 000010
【図９】
2008299651.tif 000011
【図１０】
2008299651.tif 000012
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
通信端末とストレージとが接続する通信ネットワークにおけるネットワーク管理システムであって、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを取得して、前記特定の通信端末に与える接続情報取得部を備えると共に、
前記特定の通信端末は、その通信端末のモニタに対して、前記端末識別情報に対応する端末表示情報と、前記ファイル特定情報に対応するファイル表示情報とを関連付ける関連付けイメージを表示する関連付け表示手段を備えているネットワーク管理システム。
【請求項２】
前記通信ネットワークに接続する管理サーバを備え、この管理サーバは、前記通信端末からの操作ログを通信ネットワークを介して取得すると共に、前記特定の通信端末が、通信ネットワークを介して前記ストレージに接続したことを判別した際に、前記操作ログに基づいて、前記ストレージに既に接続している前記通信端末を識別する端末識別情報と、この既に接続している通信端末が接続する情報ファイルを特定するファイル特定情報とを取得して、前記特定の通信端末に送信する接続情報送信部を備えている請求項１に記載のネットワーク管理システム。
【請求項３】
通信端末とストレージとが接続する通信ネットワークにおけるネットワーク管理用プログラムであって、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを前記特定の通信端末において取得する接続情報取得機能をコンピュータよって実現すると共に、
前記特定の通信端末のモニタに対して、前記端末識別情報に対応する端末表示情報と、前記ファイル特定情報に対応するファイル表示情報とを関連付ける関連付けイメージを表示する関連付け表示機能をコンピュータによって実現するネットワーク管理用プログラム。
【手続補正２】
【補正対象書類名】明細書
【補正対象項目名】全文
【補正方法】変更
【補正の内容】
【発明の詳細な説明】
【技術分野】
【０００１】
本発明は、通信端末とストレージとが接続する通信ネットワークにおけるネットワーク管理システム及びネットワークの管理用プログラムに関し、詳しくは、通信ネットワークを介して取得した情報を通信端末のモニタに表示する技術に関する。
【背景技術】
【０００２】
上記した技術と関連するものとして、遠隔制御サーバとクライアント端末（本発明の通信端末）とが通信ネットワークを介して接続され、遠隔制御サーバにおいてクライアント端末からのアクセス要求情報を受け付けた場合には、クライアント端末ではモニタに表示されている画像データを遠隔制御サーバ（本発明の管理サーバ）に送信し、遠隔制御サーバでは受信した画像データをモニタに対して縮小し一覧化して表示すると共に、遠隔制御サーバのキャプチャ画像記録手段がクライアント端末の画面をキャプチャ画像として所定のインターバルで操作ログに記録し、この記録の後には、遠隔制御サーバの再生手段が操作ログに記録されたキャプチャ画像の再生を行えるものが存在する（例えば、特許文献１参照）。
【０００３】
この特許文献１では、複数のクライアント端末から送信される画像データを遠隔制御サーバのモニタに表示する際には、夫々の画面の画像データを縮小し、複数の画像データを一覧化して視認できるように表示形態が設定され、管理サーバを管理する者が画像データから操作の内容を把握できるものとなる。
【０００４】
また、通信ネットワーク内に存在する各デバイスにおけるアクセス履歴をネットワークサーバが保管し、このアクセス履歴を判定ルールに基づいてデバイスの状態を判定し、その判定の結果をクライアントコンピュータのディスプレイに表示するものが存在する（例えば、特許文献２）。
【０００５】
【特許文献１】特開２００６−１０８９４７号公報  （段落番号〔００６５〕〜〔００７７〕、図１〜図５）
【特許文献２】特開２００６‐１０７４５６号公報  （段落番号〔０００８〕〜〔００４２〕、図１、図２）
【発明の開示】
【発明が解決しようとする課題】
【０００６】
ここで、ファイルサーバの情報ファイルに対して、通信端末が通信ネットワークを介して接続し、情報ファイルの更新を行うことを考えると、その情報ファイルに接続を実行した時点で、その情報ファイルに対して既に接続する通信端末が存在する場合には、接続は可能であっても、例えば、ビューモードで接続する状態となり更新が不能になることがある。
【０００７】
具体的には、ファイルサーバの所定のフォルダをカーソルで選択して開き、更に、目的とする情報ファイルをカーソルで選択して開く操作を行った時点で、既に他の通信端末が接続している状況では、情報ファイルがビューモードで開くことになり、閲覧は可能であるが、編集し、更新することが不能となり、このような状況にあることを判別するには、情報ファイルをカーソルで選択し、クリック等の操作を行った後に始めて判別可能となるため、時間を無駄にするものであった。
【０００８】
このように情報ファイルにアクセスする際に、既に接続している通信端末の存在の有無の確認は、各通信端末において時間の無駄を解消するために有用であり、改善が望まれている。
【０００９】
また、ネットワークを管理する観点から、例えば、通信端末をファイルサーバに接続した際に、他の通信端末でどのような作業が行われているのか、把握したい場合があり、また、他の通信端末が情報ファイルに接続するものの、情報ファイルに対する作業が長時間に亘って行われていない状況についても把握したい場合もある。
【００１０】
これに対して、特許文献１に記載されたものでは、通信ネットワークに接続する複数の通信端末における操作状況を管理サーバ側の管理モニタに表示できるため、管理サーバ側において、各通信端末においてどのような操作が行われているのか視覚的に把握することが可能であるものの、管理モニタに表示される情報から、ファイルサーバに対する接続の有無を判断することは、複数のモニタの画像データ中のカーソルの動きや、開いているファイルを識別することが必要となり、ファイルサーバに対する接続の有無を判断できた場合でも、この判断結果を複数の通信端末に反映させるためには、管理サーバを管理する者が特別の操作を行うことが必要となり実現性が低いものである。
【００１１】
また、特許文献２に記載されるデバイスのアクセス履歴から判定ルールに基づいてデバイスの状態を判定するものは、デバイスとしてのファイルサーバがアクティブか非アクティブかの判定が可能であるものの、特定の情報ファイルに対する通信端末からのアクセスを判断できないものであり、前述した不都合を解消できないものであった。
【００１２】
本発明の目的は、通信端末からストレージの情報ファイルに接続する際には、その情報ファイルに対する他の通信端末の接続の状況を各通信端末から簡便に把握できるようにする点にある。
【課題を解決するための手段】
【００１３】
本発明の特徴は、通信端末とストレージとが接続する通信ネットワークにおけるネットワーク管理システムにおいて、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを取得して、前記特定の通信端末に与える接続情報取得部を備えると共に、
前記特定の通信端末は、その通信端末のモニタに対して、前記端末識別情報に対応する端末表示情報と、前記ファイル特定情報に対応するファイル表示情報とを関連付ける関連付けイメージを表示する関連付け表示手段を備えている点にある。
【００１４】
この構成によると、特定の通信端末が通信ネットワークを介してストレージに接続した際には、そのストレージに既に接続している他の通信端末を識別する端末識別情報と、この既に接続している通信端末が接続する情報ファイルを特定するファイル特定情報とを接続情報取得部が取得し、ストレージに接続した通信端末に与えることになる。通信端末では、その通信端末に備えられたモニタにおいて、端末識別情報に対応するアイコン等の端末表示情報と、ファイル特定情報に対応するアイコン等のファイル特定情報とを関連付ける関連付けイメージを、関連付け表示手段が表示する。従って、通信端末からストレージの情報ファイルに接続する際には、情報ファイルに接続する操作を行わずとも、その情報ファイルに対する他の通信端末の接続の状況を通信端末のモニタにおいて簡便に把握できるものとなった。特に、通信端末からストレージに接続した場合には、情報ファイルに対する他の通信端末の接続状況を把握できるため、他の通信端末における作業状況を把握できると云う効果も奏する。
【００１５】
本発明は、前記関連付け表示手段は、前記端末表示情報として、この端末表示情報に対応する端末識別情報で識別される通信端末のモニタに表示されている操作画面の表示を行っても良い。これによると、情報ファイルに接続中の通信端末のモニタの操作画面から他の通信端末で起動しているアプリケーションを把握することや、操作の具体的な内容を把握することも可能となる。
【００１６】
本発明は、前記関連付け表示手段が、前記通信端末にインストールされているアプリケーションが通信ネットワークを介して前記ストレージに接続したことを判別した際に、前記接続情報取得部から前記端末識別情報と前記ファイル特定情報とを取得し、前記モニタにおいて前記端末表示情報とファイル表示情報とを関連付けるように関連付けイメージの表示を行っても良い。これによると、例えば、ストレージに保存されている情報ファイルとしての文書ファイルをワードプロセッサやテキストエディタ等のアプリケーションで開く場合でも、他のソフトウエアを起動させることなく、そのアプリケーションに対する操作を行うだけで、開こうとしている情報ファイルに対して既に接続している通信端末が存在する場合には、その通信端末を識別することが可能となる。
【００１７】
本発明は、前記通信ネットワークに接続する管理サーバを備え、この管理サーバは、前記通信端末からの操作ログを通信ネットワークを介して取得すると共に、前記特定の通信端末が、通信ネットワークを介して前記ストレージに接続したことを判別した際に、前記操作ログに基づいて、前記ストレージに既に接続している前記通信端末を識別する端末識別情報と、この既に接続している通信端末が接続する情報ファイルを特定するファイル特定情報とを取得して、前記特定の通信端末に送信する接続情報送信部を備えても良い。これによると、通信端末においてストレージに接続する操作を行った際には、管理サーバが操作ログから既に接続状態にある端末識別情報と、ファイル特定情報とを取得して、その通信端末に与えるので、ストレージに接続した通信端末では他の通信端末から接続情報を取得する処理を行わずとも、目的とする情報ファイルの接続状況を把握できるものとなる。
【００１８】
本発明は、前記ストレージが通信ネットワークに接続するファイルサーバで構成され、このファイルサーバは、前記特定の通信端末が通信ネットワークを介して接続したことを判別した際には、保存されている情報ファイルに対して既に接続している通信端末を識別する端末識別情報と、この既に接続している通信端末が接続する情報ファイルを特定するファイル特定情報とを、前記特定の通信端末に送信する接続情報送信部を備えても良い。これによると、通信端末においてファイルサーバに接続する操作を行った際には、ファイルサーバの接続情報送信部が、既に接続状態にある端末識別情報と、ファイル特定情報とを、その通信端末に送信するので、ファイルサーバに接続した通信端末では他の通信端末から接続情報を取得する処理を行わずとも、目的とする情報ファイルの接続状況を把握できるものとなる。
【００１９】
本発明の特徴は、通信端末とストレージとが接続する通信ネットワークにおけるネットワーク管理用プログラムにおいて、
前記ストレージに対し通信ネットワークを介して特定の前記通信端末が接続した際に、前記ストレージに対し通信ネットワークを介して既に接続している前記通信端末を識別する端末識別情報と、この既に接続している通信端末が接続する情報ファイルを特定するファイル特定情報とを前記特定の通信端末において取得する接続情報受信機能をコンピュータよって実現すると共に、
前記特定の通信端末のモニタに対して、前記端末識別情報に対応する端末表示情報と、前記ファイル特定情報に対応するファイル表示情報とを関連付ける関連付けイメージを表示する関連付け表示機能をコンピュータによって実現する点にある。
【００２０】
これによると、特定の通信端末が通信ネットワークを介してストレージに接続した際には、そのストレージに既に接続している他の通信端末を識別する端末識別情報と、この既に接続している通信端末が接続する情報ファイルを特定するファイル特定情報とを接続情報受信機能が取得する。次に、この通信端末のモニタにおいて、端末識別情報に対応するアイコン等の端末表示情報と、ファイル特定情報に対応するアイコン等のファイル特定情報とを関連付ける関連付けイメージを関連付け表示機能が表示する。従って、通信端末からストレージの情報ファイルに接続する際には、情報ファイルに接続する操作を行わずとも、その情報ファイルに対する通信端末の接続の状況を各通信端末から簡便に把握できるプログラムが構成された。
【発明を実施するための最良の形態】
【００２１】
以下、本発明の実施形態を図面に基づいて説明する。
〔ネットワーク管理システム〕
図１に示すように、コンピュータで成る管理サーバＡと、この管理サーバＡを制御するコンピュータで成る管理端末Ｂと、コンピュータで成る複数の通信端末Ｃ（クライアントＰＣ）と、ストレージとして機能するファイルサーバＤとが通信ネットワークＬで接続されている。この通信ネットワークＬでは、管理サーバＡと通信端末ＣとファイルサーバＤとの協働によってネットワークを管理するネットワーク管理システムが構成される。
【００２２】
前記通信ネットワークＬは、企業や学校等の限られた施設内において情報を物理的に送るケーブルと、ＬＡＮスイッチやハブ等で成る中継器等を備えたＣＳＭＡ／ＣＤ（Carrier Sense Multiple Access with Collision Detection）方式のイーサネット（Ethernet）（登録商標）型のＬＡＮとして構築されたものであるが、この通信ネットワークＬとしてイーサネット型のＬＡＮ以外に、インターネットの技術を用いたイントラネットで構築されるものや、ＷＡＮ（Wide Area Network）の技術によって構築されるものでも良い。
【００２３】
前記管理サーバＡはコンピュータ本体１、サーバモニタ２、キーボード３、マウスＭ等を備え、前記管理端末Ｂはコンピュータ本体４、管理モニタ５、キーボード６、トラックパッドＴ、マウスＭ等を備え、前記通信端末Ｃは、コンピュータ本体７、モニタ８、キーボード９、トラックパッドＴ、マウスＭ等を備えている。
【００２４】
管理端末ＢではマウスＭとトラックパッドＴとキーボード６のカーソルキーとがポインティングデバイスとして機能し、これと同様に通信端末Ｃにおいても、マウスＭとトラックパッドＴとキーボード９のカーソルキーとがポインティングデバイスとして機能する。ポインティングデバイスはこれらに限るものではなく、トラックボールを用いることや、管理モニタ５や、モニタ８の表示面にタッチパネルを形成し、タッチパネルを用いる等様々な機能のものの使用が可能である。
【００２５】
このネットワーク管理システムでは、複数の通信端末Ｃのモニタ８に表示される操作画面Ｇ（デスクトップに表示されたイメージ）と、通信端末Ｃの操作ログとを通信ネットワークＬを介して管理サーバＡが取得し、管理に必要な処理を行う。この管理サーバＡによって管理に必要な処理で生成された情報は、前記サーバモニタ２に表示可能であるが、この情報は管理サーバＡが通信ネットワークＬに送り出し、管理端末Ｂが受信することにより、この管理端末Ｂの管理モニタ５に表示される。尚、管理サーバＡによって管理に必要な処理を前記サーバモニタ２に表示する場合には、このサーバモニタ２が管理モニタとして機能する。
【００２６】
具体的なものの一例を挙げると、管理画面４０（図３を参照）が管理モニタ５に表示され、この管理画面４０において操作画面Ｇ、操作ログ等の情報が表示される。
【００２７】
このネットワーク管理システムでは、前記複数の通信端末Ｃのうち何れであっても、ファイルサーバＤに接続（ログイン）した際には（この接続を開始した通信端末を以下、ログイン端末と称する）、ファイルサーバＤに既に接続している通信端末Ｃ（この既に接続状態にある通信端末を以下、既接続端末と称する）を識別する端末識別情報と、この既接続端末Ｃが接続している情報ファイルを特定するファイル特定情報とを含む接続情報を取得する。このように接続情報を取得した後には、その通信端末Ｃ（ログイン端末）のモニタ８において、通信端末Ｃ（既接続端末）に対応したアイコン等の端末表示情報と、ファイル特定情報に対応するアイコン等のファイル特定情報とを関連付けるように関連付けイメージを表示する紐付け表示が行われる。この紐付け表示の処理の詳細は後述する。
【００２８】
この紐付け表示は全ての通信端末Ｃにおいて実現するものであるが、一部の通信端末Ｃにおいてのみ実現するようにネットワーク管理システムを構成しても良い。
【００２９】
本発明のネットワーク管理システムでは、通信ネットワークＬに送信される操作画面Ｇ、及び、操作ログには、通信端末Ｃを識別する端末識別情報と、取得した日時情報とが与えられるものであり、この操作画面Ｇと操作ログとを含む情報を操作情報と称している。尚、端末識別情報としては通信時に端末を識別するために用いられるＭＡＣアドレスやＩＰアドレスを想定しているが、通信端末毎に任意に設定したユニークな識別情報を用いても良い。
【００３０】
〔システムの制御系・通信端末〕
ネットワーク管理システムの制御系の概要を図２のように示すことが可能である。つまり、通信端末Ｃは、モニタ８に必要な情報をアイコン等のイメージで表示することによりアプリケーション１１の実行を制御するＧＵＩ部１２を備えると共に、このアプリケーション１１の実行時にモニタ８に表示された画像（デスクトップの画像）を操作画面Ｇとして取得する操作画面取得部１３と、操作ログを取得する操作ログ取得部１４と、この操作ログ取得部からの操作ログと操作画面とを通信ネットワークＬから管理サーバに送信する情報送受信ユニット１５とを備えている。
【００３１】
また、この通信端末Ｃには、情報送受信ユニット１５を介して接続情報（後述するアクセスログを含む）を受信する接続情報受信部１６（接続情報受信機能の一例）と、この接続情報受信部１６に基づいて前記紐付け表示を行う関連付け表示手段１７（関連付け表示機能の一例）と、管理サーバＡに対して操作画面を要求する情報を送信する操作画面要求部１８と、前記アプリケーション１１によってファイルサーバＤに接続した際に要求情報を前記管理サーバＡに送信する情報送信部１９とを備えている。
【００３２】
前記操作画面要求部１８は、端末識別情報に対応する端末表示情報として操作画面Ｇを要求するものであるため、操作画面Ｇの表示を行わない場合には、これに代えて、アイコンやシンボルなどの端末表示情報を取得する機能を有する端末表示情報取得部と置き換えても良い。
【００３３】
前記操作画面取得部１３は１秒間に１コマ程度の操作画面を取得すると共に、取得した操作画面Ｇを、ＪＰＥＧ形式（Joint Photographic Experts Groupが制定した形式）等の形式に圧縮処理を行う。また、操作ログ取得部１４は、設定されたインターバル毎に、あるいは、イベント発生時に取得した操作ログを取得する。前述したように、操作画面と操作ログとを併せたものを操作情報と称している。従って、この操作情報は、通信端末Ｃを識別する端末識別情報と操作画面Ｇと操作ログの取得日時を特定する日時情報を与えて情報送受信ユニット１５から管理サーバＡに送信される。
【００３４】
尚、これら操作画面取得部１３と、操作ログ取得部１４と、接続情報受信部１６と、関連付け表示手段１７と、操作画面要求部１８と、情報送信部１９とはソフトウエアで構成されるものであるが、これらをソフトウエアとハードウエアとの組み合わせによって構成して良く、ロジック等を組み合わせたハードウエアのみで構成しても良い。
【００３５】
〔管理サーバ〕
前記管理サーバＡは、通信ネットワークＬに対して情報の送受信を行う情報送受信ユニット２１を備えると共に、この情報送受信ユニット２１で受信した操作情報から操作画面Ｇを取得してメモリやハードディスクＨＤに保存する操作画面保存部２２と、受信した操作情報から操作ログを取得してメモリやハードディスクＨＤに保存する操作ログ保存部２３と、操作画面保存部２２及び操作ログ保存部２３からの情報の処理を行う管理情報処理部２４と、これら操作画面保存部２２、操作ログ保存部２３、管理情報処理部２４夫々からの情報に基づいて前記管理画面４０を生成する管理画面生成手段２５とを備えている。
【００３６】
この管理サーバＡは、前記情報送受信ユニット２１からファイルサーバＤに接続した通信端末Ｃ（ログイン端末）を特定する端末識別情報を取得すると共に、前記管理情報処理部２４から接続情報を取得する接続情報取得部２６と、この接続情報取得部２６で取得した接続情報を、その通信端末Ｃ（ログイン端末）に送信する接続情報送信部２７とを備えている。
【００３７】
更に、この管理サーバＡには、キーボード３やマウスＭ等からの操作情報をサーバモニタ２に反映させながら操作情報の入力を実現するＧＵＩ部３０を備え、前記管理画面生成手段２５からの情報を前記サーバモニタ２に出力する、又は、前記管理端末Ｂに送り出す画像出力ユニット２９を備えている。
【００３８】
前記接続情報とは、ファイルサーバＤに接続する通信端末Ｃ（既接続端末）を特定するＩＰアドレスやＭＡＣアドレス等の情報を端末識別情報として含むと共に、この通信端末Ｃ（既接続端末）が接続する情報ファイルのファイル名や属性情報等を含むファイル特定情報を含む。特に、後述するようにこの接続情報の送信時には端末識別情報で識別される通信端末Ｃの操作画面Ｇも併せて送信される。
【００３９】
尚、操作画面保存部２２と、操作ログ保存部２３と、管理情報処理部２４と、接続情報取得部２６と、接続情報送信部２７とはソフトウエアで構成されるものであるが、これらをソフトウエアとハードウエアとの組み合わせで構成して良く、ロジック等を組み合わせたハードウエアのみで構成しても良い。
【００４０】
〔管理端末〕
前記管理端末Ｂは、通信ネットワークＬに対して情報の送受信を行う情報送受信ユニット３２と情報のアクセスを行い、処理された情報を前記管理モニタ５に表示する情報処理部３３を備え、キーボード６やマウスＭ等からの操作情報を管理モニタ５に反映させながら情報処理部に入力する実現するＧＵＩ部３４を備えている。
【００４１】
図２では、管理サーバＡでの処理情報を受信して管理モニタ５に表示する処理形態としているが、同図に示す構成の一部を管理端末Ｂに備えることにより、この管理サーバＡで一部の処理を行い、管理端末Ｂにおいて残りの一部の処理を行うように構成しても良い。
【００４２】
尚、この情報処理部３３は、ソフトウエアで構成されるものであるが、ソフトウエアとハードウエアとの組み合わせで構成して良く、これらをロジック等を組み合わせたハードウエアのみで構成しても良い。
【００４３】
〔ファイルサーバ〕
前記ファイルサーバＤ（ストレージの一例）は、通信ネットワークＬに対して情報の送受信を行う情報送受信ユニット３６を備えると共に、この情報送受信ユニット３６を介して情報のアクセスを行い、かつ、情報ファイルを保存する情報保存部３７と、接続情報保存部３８と、この接続情報保存部３８に保存されている接続情報を前記関連付け表示手段１７が備えられた通信端末Ｃに送信する接続情報送信部３９とを備えている。
【００４４】
具体的に説明すると、前記情報保存部３７はハードディスク等のストレージを備えており、前記接続情報保存部３８は、情報保存部３７に情報ファイルに接続した通信端末Ｃを識別する端末識別情報（ＭＡＣアドレスやＩＰアドレス等）と、その通信端末Ｃが接続した情報ファイルを特定するファイル特定情報（例えばファイル名）とをログ情報として保存する機能を有するものを想定している。また、前記接続情報送信部３９は、接続情報保存部３８に保存されているログ情報のうち、現在接続状態にある通信端末Ｃ（既接続端末）の端末識別情報と、その通信端末Ｃ（既接続端末）が接続している情報ファイルのファイル特定情報とを抽出したものをアクセスログ（接続情報）として、接続情報の要求を行った通信端末Ｃ（ログイン端末）に送信する処理を行う。
【００４５】
このファイルサーバＤは、通信ネットワークＬにおいて通信端末Ｃから接続可能な情報ファイルを保存する機能を有するストレージ全般を指すものである。本発明のストレージは、ファイルサーバＤとして独立したもの以外に、管理サーバＡや通信端末Ｃに備えられているハードディスク等であっても良い。また、情報ファイルとしては文書データの他に、ＣＡＤデータや画像データ等が含まれる。
【００４６】
〔管理画面〕
前記管理画面４０は、図３に示すように、基本的に管理端末Ｂの管理モニタ５に表示されるものであり、上部位置に画面再生ボタン４１、ログ閲覧ボタン４２、ＰＣ情報ボタン４３、リモート制御ボタン４４、アラート設定ボタン４５等がアイコンの形で表示され、この管理画面４０の下部には操作画面表示領域４０Ａと、メッセージ表示部４０Ｂと、端末一覧表示部４０Ｃとが形成されている。
【００４７】
この管理画面４０では、カーソルＣｕの操作によって必要とする操作を実現するものであり、このカーソルＣｕを用いて前記画面再生ボタン４１を操作することで操作画面Ｇが動画の形式で再生表示され、ログ閲覧ボタン４２を操作することで操作ログの一覧表示が行われ、ＰＣ情報ボタン４３を操作することで通信端末ＣのＰＣ情報が表示され、リモート制御ボタン４４を操作することで通信端末Ｃを指定した状態でのリモート制御が実現する。
【００４８】
操作画面表示領域４０Ａには複数の矩形の表示フレームＥの内部領域に操作画面Ｇを表示しており、この表示フレームＥの下部には通信端末Ｃを特定する識別情報や通信端末Ｃを操作するユーザの名前等の情報を表示する情報表示部Ｅａが形成されている。また、前記メッセージ表示部４０Ｂには、処理に必要な情報が表示され、前記端末一覧表示部４０Ｃには通信ネットワークＬに接続している通信端末Ｃの情報が一覧化して表示される。
【００４９】
前述したように操作画面取得部１３が１秒間に１コマ程度の操作画面Ｇを取得して管理サーバＡに送信するため、操作画面表示領域４０Ａに表示される操作画面Ｇは１秒程度の時間間隔で更新され、リアルタイムで操作の状況を表すものとなる。これにより、その通信端末Ｃで行われている操作の内容を把握できるばかりでなく、操作のリスクの有無の判断も可能にしている。
【００５０】
〔紐付け表示の処理形態〕
本発明の通信ネットワークＬでは、前記通信端末Ｃのアプリケーション１１として、例えば、図４に示すようにワードプロセッサを起動してウインドウＷを表示し、このワードプロセッサのオープンダイアログ６０を表示してファイルサーバＤに接続する操作を行った際には、このオープンダイアログ６０に対して、紐付け表示を行える点に特徴を有している。
【００５１】
この前記紐付け表示の具体例として、情報ファイルに対応するアイコンとして表示されるファイルイメージＦと、その情報ファイルに接続している通信端末Ｃ（既接続端末）から取得した操作画面Ｇ（通信端末Ｃに対応するアイコンでも良い）とを関連付けるラインイメージＳを表示することにより視覚的に関連付けを把握できるものにしている。尚、図４ではファイルイメージＦに付された名称（ファイル名）に対してラインイメージによる紐付け表示を行っているが、本発明は、名称（ファイル名）とファイルイメージＦとの何れに対して紐付け表示を行っても良い。
【００５２】
その処理形態として、通信端末ＣがファイルサーバＤに接続した際に、管理サーバＡが通信ネットワークＬを介して各通信端末Ｃから取得している操作ログに基づいてファイルサーバＤに既に接続している通信端末Ｃ（既接続端末）と、情報ファイルとの関係を示す接続情報を通信端末Ｃ（ログイン端末）が取得することで紐付け表示を実現する第１の処理形態と、通信端末ＣがファイルサーバＤに接続した際に、そのファイルサーバＤからアクセスログ（接続情報）を通信端末Ｃが取得すると共に、管理サーバＡから通信端末Ｃ（既接続端末）の操作画面Ｇを取得することで紐付け表示を実現する第２の処理形態とが考えられ、夫々の処理形態を以下に説明する。
【００５３】
〔第１の処理形態〕
複数の通信端末Ｃの何れかにおいてアプリケーション１１を実行し、そのアプリケーション１１のウインドウＷにおいてファイルを開く操作を行った場合には、図４に示す如く、そのアプリケーションのウインドウＷの前面側にオープンダイアログ６０が表示される。このオープンダイアログ６０は、矩形のフレームの上部に接続対象のファイルの場所を指定するアドレスバー６１と、複数のツール用のアイコン６２等が配置され、この下部位置にファイル指定領域６３（ツーリービュー）と、ファイル表示領域６４と、操作画面表示領域６５とが配置され、この操作画面表示領域６５の側部にスクロールバー６５Ｓが配置され、更に、この下部位置にファイル情報領域と６６、６７と開くボタン６８と、キャンセルボタン６９とが配置された構造を有している。
【００５４】
図５のフローチャートに示すように、このオープンダイアログ６０において、アドレスバー６１やファイル指定領域６３においてファイルサーバＤを指定（接続）することで、ファイル指定領域６３に対して、階層に対応したフォルダがツリー形式で表示され、表示されたフォルダをカーソルで選択することにより、フォルダ内の情報ファイルのファイルイメージＦ（ファイル表示情報）がファイル表示領域６４に表示され、このようにオープンダイアログ６０を表示してファイルサーバＤに接続する操作が行われた際には、要求情報が管理サーバＡに送信される（＃１０１、＃１０２ステップ）。
【００５５】
この処理において、オープンダイアログ６０を表示し、ファイルサーバＤに接続した後にファイルイメージＦが表示されるまでの処理はアプリケーション１１が行い、このように表示されたファイルイメージＦが紐付け対象に設定される。また、要求情報は前記情報送信部１９が管理サーバＡに送信するものであり、この要求情報には通信端末Ｃ（ログイン端末）の識別が可能な端末識別情報が含まれる。
【００５６】
この要求情報を管理サーバＡが受信した場合には、前記接続情報取得部２６が前記管理情報処理部２４に接続情報を要求する。この管理情報処理部２４は、前記接続情報取得部２６からの要求に基づいて操作ログ保存部２３に保存されている操作ログから前記ファイルサーバＤの情報ファイルに接続している（開いている）通信端末Ｃ（既接続端末）の端末識別情報と接続日時と、この通信端末Ｃ（既接続端末）が接続している情報ファイルを特定するファイル特定情報とを含む接続情報を取得し、更に、この接続情報と、通信端末Ｃ（既接続端末）の操作画面Ｇ（イメージ情報）とを前記接続情報取得部２６に与える。
【００５７】
フローチャートには示していないが、この管理サーバＡでは、要求情報を受信した後には、要求された通信端末Ｃ（既接続端末）の操作画面を新たに取得する毎に、画面要求情報を送信した通信端末Ｃ（ログイン端末）に送信する処理を継続的に行う。これにより、オープンダイアログ６０に表示された操作画面Ｇは１秒程度の時間間隔で更新され、動画として表示される。前述したように操作画面取得部１３では１秒間に１コマ程度の操作画面を取得するため、オープンダイアログ６０に表示される操作画面Ｇも１秒程度の時間間隔で操作画面Ｇが更新されるものであるが、この操作画面Ｇの更新インターバルは１秒に限るものではなく、これより長い時間でも良く、１秒より短い時間間隔でも良い。特に、操作画面取得部１３において、例えば、ＭＰＥＧ２形式（Moving Picture Experts Groupが制定した形式）で操作画面を取得することにより、オープンダイアログ６０において操作画面Ｇを動画として表示するように構成しても良い。
【００５８】
特に、本発明ではファイルサーバＤに通信端末Ｃが接続した際に、既に接続している通信端末Ｃにおいてモニタ８に表示されている操作画面Ｇを、既に接続している通信端末Ｃから、通信ネットワークＬを介して直接的に取得するように操作画面Ｇの取得系を構成しても良い。このように操作画面Ｇの取得系を構成することにより、管理サーバＡにおける処理の負荷を軽減できる。
【００５９】
次に、接続情報取得部２６は、管理情報処理部２４からの取得した接続情報と、操作画面Ｇとを前記接続情報送信部２７に与え、この接続情報送信部２７は、要求情報で特定される通信端末Ｃ（ログイン端末）に対して接続情報と、操作画面Ｇ（端末表示情報として使用される）とを送信することになる。
【００６０】
この接続情報は通信端末Ｃ（ログイン端末）の接続情報受信部１６で受信され、図４に示すように、関連付け表示手段１７が、ファイル表示領域６４に表示されているファイルイメージＦと接続状態にある通信端末Ｃ（既接続端末）を特定し、その通信端末Ｃ（既接続端末）の操作画面Ｇ（端末表示情報）を、オープンダイアログ６０の操作画面表示領域６５において、対応する情報ファイルのファイルイメージＦと対向する位置に表示し、接続するもの同士の間にラインイメージＳ（関連付けイメージ）を表示する。そして、この接続情報が更新される毎に繰り返して行われると共に、オープンダイアログ６０が閉じられるまで継続する（＃１０４、＃１０５ステップ）。
【００６１】
このようにファイルイメージＦと、通信端末Ｃ（既接続端末）の操作画面Ｇとを並列的に表示し、ラインイメージＳによって関連付けて表示することにより、ファイルサーバＤに接続した通信端末Ｃでは、モニタ８の表示から情報ファイルに対する通信端末Ｃ（既接続端末）の接続の有無を判断できるばかりでなく、接続している通信端末Ｃ（既接続端末）における操作の状況を操作画面Ｇから取得でき、この通信端末ＣからファイルサーバＤに接続する際には、情報ファイルに接続する操作を行わずとも、その情報ファイルに対する他の通信端末Ｃの接続の状況を把握できるのである。
【００６２】
そして、このオープンダイアログ６０に表示されたファイルイメージＦをカーソルで選択した場合には、対応する情報ファイルの名称や属性等の情報が、前記ファイル情報領域６６、６７に表示され、この後、開くボタン６８を操作することで、選択したファイルイメージＦに対応する情報ファイルを開く（接続）することができる。
【００６３】
この第１の処理形態での処理を実現するために、通信端末Ｃでは情報送信部１９と、接続情報受信部１６と、関連付け表示手段１７とがアプリケーション１１と連係して機能する必要があるため、これら情報送信部１９と、接続情報受信部１６と、関連付け表示手段１７とはアプリケーション１１に組み込むものを想定しているが、アプリケーション１１の実行時に起動するものや、常駐型のプログラムとしてセットされるものでも良い。
【００６４】
特に、この第１の処理形態では、アプリケーション１１においてファイルを開く操作が行われた場合には、そのアプリケーション１１のオリジナルのオープンダイアログを表示し、前述したファイル指定領域６３と、ファイル表示領域６４と、操作画面表示領域６５とを有するウインドウを独立して表示し、このウインドウにおいて、情報ファイルのファイルイメージＦと、対応する操作画面ＧとをラインイメージＳによって関連付けるように処理形態を設定しても良い。
【００６５】
〔第２の処理形態〕
この第２の処理形態では、アプリケーション１１を実行し、そのアプリケーション１１のウインドウＷにおいてファイルを開く操作を行うことにより、図４に示すオープンダイアログ６０が表示されるまでの処理は、前述した第１の処理形態と全く同じであり、表示されるオープンダイアログ６０の構造も全く同じであるが、このオープンダイアログ６０を表示した際に、送信される情報の構造が異なり、送信先がファイルサーバＤと管理サーバＡとである点が異なるものである。
【００６６】
つまり、オープンダイアログ６０において、アドレスバー６１やファイル指定領域６３においてファイルサーバＤを指定（接続）することで、ファイル指定領域６３に対して、階層に対応したフォルダがツリー形式で表示され、表示されたフォルダをカーソルで選択することにより、フォルダ内の情報ファイルのファイルイメージＦ（ファイル表示情報）がファイル表示領域６４に表示され、このようにオープンダイアログ６０を表示してファイルサーバＤに接続する操作が行われた際には、ログ要求情報がファイルサーバＤに送信される（＃１０１、＃１０２ステップ）。
【００６７】
この処理において、オープンダイアログを表示し、ファイルサーバＤに接続した後にファイルイメージＦが表示されるまでの処理はアプリケーションが行い、このように表示されたファイルイメージＦが紐付け対象に設定される。また、ログ要求情報は前記情報送信部１９がファイルサーバＤに送信するものであり、このログ要求情報には通信端末Ｃ（ログイン端末）の識別が可能な端末識別情報が含まれる。
【００６８】
ログ要求情報をファイルサーバＤが受信した場合には、前記接続情報保存部３８に保存されているアクセスログ（接続情報）を、接続情報送信部３９が管理サーバＡに対して送信することになり、このアクセスログ（接続情報）を管理サーバＡが受信する。この受信時には接続情報取得部２６がアクセスログ（接続情報）を取得し、このアクセスログから紐付け対象に設定されている情報ファイルに接続する通信端末Ｃ（既接続端末）の端末識別情報を取得し、その通信端末Ｃの操作画面を要求する画面要求情報を前記操作画面要求部１８が管理サーバＡに送信する（＃１０３、＃１０４ステップ）。
【００６９】
ファイルサーバＤの接続情報保存部３８は、前述したように、情報保存部３７に情報ファイルに接続した通信端末Ｃの端末識別情報（ＭＡＣアドレスやＩＰアドレス等）と、その通信端末Ｃが接続した情報ファイルのファイル特定情報（例えばファイル名）とをログ情報として保存するものであり、前記接続情報送信部３９は、この接続情報保存部３８からのログ情報から現在接続状態にある通信端末Ｃの端末識別情報と、その通信端末Ｃが接続した情報ファイルのファイル特定情報とを抽出し、アクセスログとして情報送受信ユニット３６に与え、この情報送受信ユニット３６が通信端末Ｃ（ログイン端末）にアクセスログを送信する。
【００７０】
また、画面要求情報を管理サーバＡが受信した場合には、前記接続情報取得部２６は、前記管理情報処理部２４に対して、端末識別情報で識別される通信端末の操作画面Ｇを要求する。この管理情報処理部２４は、対応する通信端末Ｃ（既接続端末）の操作画面Ｇ（イメージ情報）を前記接続情報取得部２６に与え、この接続情報取得部２６は、管理情報処理部２４からの取得した操作画面Ｇを前記接続情報送信部２７に与え、この接続情報送信部２７は、要求があった通信端末Ｃ（ログイン端末）に対して操作画面Ｇ（端末表示情報として使用される）を送信する。
【００７１】
フローチャートには示していないが、この管理サーバＡでは、画面要求情報を受信した後には、要求された通信端末Ｃ（既接続端末）の操作画面を新たに取得する毎に、画面要求情報を送信した通信端末Ｃ（ログイン端末）に送信する処理を継続的に行う。これにより、オープンダイアログ６０に表示された操作画面Ｇは１秒程度の時間間隔で更新され、動画として表示される。
【００７２】
この操作画面Ｇは、通信端末Ｃ（ログイン端末）の接続情報受信部１６で受信され、この接続情報受信部１６は、この操作画面Ｇを関連付け表示手段１７に与える。この関連付け表示手段は、ファイル表示領域６４に表示されているファイルイメージＦと接続状態にある通信端末Ｃ（既接続端末）を特定し、その通信端末Ｃ（既接続端末）の操作画面Ｇ（端末表示情報）を、オープンダイアログ６０の操作画面表示領域６５において、対応する情報ファイルのファイルイメージＦと対向する位置に表示し、接続するもの同士の間にラインイメージＳ（関連付けイメージ）を表示する。そして、この接続情報が更新される毎に繰り返して行われると共に、オープンダイアログ６０が閉じられるまで継続する（＃１０５〜＃１０７ステップ）。
【００７３】
そして、このオープンダイアログ６０に表示されたファイルイメージＦをカーソルで選択した場合には、対応する情報ファイルの名称や属性等の情報が、前記ファイル情報領域６６、６７に表示され、この後、開くボタン６８を操作することで、選択したファイルイメージＦに対応する情報ファイルを開く（接続）することができる。
【００７４】
この第２の処理形態での処理を実現するために、通信端末Ｃでは情報送信部１９と、接続情報受信部１６と、関連付け表示手段１７と、操作画面要求部１８がアプリケーション１１と連係して機能する必要があるため、これら情報送信部１９と、接続情報受信部１６と、関連付け表示手段１７と、操作画面要求部１８とはアプリケーション１１に組み込むものを想定しているが、アプリケーション１１の実行時に起動するものや、常駐型のプログラムとしてセットされるものであっても良い。
【００７５】
特に、この第２の処理形態でも第１の処理形態において説明したものと同様に、アプリケーション１１においてファイルを開く操作が行われた場合には、そのアプリケーション１１のオリジナルのオープンダイアログを表示し、前述したファイル指定領域６３と、ファイル表示領域６４と、操作画面表示領域６５とを有するウインドを独立して表示し、このウインドウにおいて、情報ファイルのファイルイメージＦと、対応する操作画面ＧとをラインイメージＳによって関連付けるように処理形態を設定しても良い。
【００７６】
〔発明の概念〕
このように、本発明では、通信ネットワークＬに接続する複数の通信端末Ｃの何れであっても、ファイルサーバＤに接続した場合には、ファイルサーバＤの情報ファイルのうち、接続を試みる情報ファイルのファイルイメージＦを表示すると共に、この情報ファイルに接続している通信端末Ｃ（既接続端末）が存在する場合には、その操作画面Ｇを表示し、ファイルイメージＦとラインイメージＳ（関連付けイメージ）を介して紐付けする形態で通信端末Ｃ（ログイン端末）のモニタ８に表示（紐付け表示）することにより、情報ファイルに接続中の通信端末Ｃを視覚的に容易に把握できるのである。
【００７７】
操作画面Ｇから他の通信端末Ｃにおいて実行されているアプリケーションを特定できるばかりでなく、他の通信端末Ｃにおいてどのような作業が行われているのか比較的容易に把握できるものとなり、更に、情報ファイルに対して接続しているが情報ファイルに対する作業を長時間に亘って行っていない通信端末Ｃが存在する場合にも、ファイルサーバＤに接続した通信端末Ｃから把握できるため、例えば、他の通信端末Ｃを管理することや、監視することにも有効に活用できるのである。
【００７８】
また、通信端末Ｃで現在行われている状況をリアルタイムで示す操作画面Ｇを表示フレームＥとともに表示することにより、その通信端末Ｃで行われている操作の内容と、情報ファイルとの操作の関連性を視覚によって確認できるものとなる。
【００７９】
特に、アプリケーション１１を実行し、そのアプリケーション１１からファイルサーバＤの情報ファイルに接続する操作が行われた場合に表示されるオープンダイアログ６０において紐付け表示を行うものでは、特別な操作を行わずとも、従来から行われている操作を行うだけで、そのオープンダイアログ６０にファイルイメージＦと、これに関連付けられる操作画面Ｇが表示され、これらがラインイメージＳ（関連付けイメージ）によって関連付けられることにより、情報ファイルに接続中の通信端末Ｃを視覚的に容易に把握できる。
【００８０】
〔別実施形態〕
本発明は、上記した実施の形態以外に以下のように構成しても良い。
【００８１】
以下に説明する別実施形態では、上記したようにオープンダイアログ６０において紐付け表示を行う表示形態に適用すること以外に、専用の紐付け表示画面５０（図７以下に示している）を表示し、その紐付け表示画面５０において紐付けを行う表示形態を採用しても良い。特に、この紐付け表示画面５０は上記したようにアプリケーションにおいてファイルサーバＤに接続する操作と連係して表示されるものでも良く、所定の操作に基づきアプリケーションの操作と関係なく表示されるものであっても良い。
【００８２】
本発明では、通信端末ＣがファイルサーバＤに接続した際に、ファイルサーバＤに対して既に接続している通信端末Ｃの全ての操作画面Ｇ（端末表示情報）を表示する必要はなく、例えば、予め設定したグループに属する通信端末Ｃだけを表示対象に設定するものであっても良い。このように表示対象を予め設定できるものでは、オープンダイアログ６０や、以下に示す専用の紐付け表示画面５０において多数の操作画面Ｇが表示されることによる煩雑さを解消し、例えば、特定のグループ内の通信端末Ｃの管理を行う場合でも管理対象に設定した通信端末Ｃの操作状況を容易に把握できる。
【００８３】
ファイルサーバＤに対して既に接続している通信端末Ｃの全ての操作画面Ｇ（端末表示情報）を表示する際に、その操作画面Ｇの表示サイズを変更できるように表示形態を変更できるように構成しても良い。この表示サイズの変更なユーザが任意に設定するものであっても良いが、例えば、通信端末Ｃを操作するユーザに設定されている権限レベルが低いほど大きく表示することや、通信端末Ｃが接続する情報ファイルの重要度が高いものほど大きく表示する等、自動的に設定されるものであっても良い。この表示サイズの変更は、前記オープンダイアログ６０において表示される操作画面Ｇ、及び、以下に示す専用の紐付け表示画面５０に表示される操作画面Ｇに適用できる。
【００８４】
また、本発明の関連付け表示手段１７は、端末識別情報に対応する端末表示情報（操作画面Ｇ）と、ファイル特定情報に対応するファイル表示情報（ファイルイメージＦ）とを関連付ける関連付けイメージを表示するものであるため、操作画面Ｇを必ずしも表示する必要はなく、通信端末Ｃ（既接続端末）を示すアイコンを表示し、このアイコンとファイルイメージＦとを関連付ける関連付けイメージを表示するものであっても良い。この表示形態は、前記オープンダイアログ６０、及び、以下に示す専用の紐付け表示画面５０にも適用できる。
【００８５】
更に、本発明の関連付け表示手段１７は上記したように、端末識別情報に対応する端末表示情報（操作画面Ｇ）と関連付けイメージ（例えばラインイメージＳ）とを表示するように処理形態が設定されるもの以外に、例えば、以下に説明するもののように、ファイルイメージＦも併せて表示するように、この関連付け表示手段１７の処理形態を設定しても良い。この表示形態は、前記オープンダイアログ６０、及び、以下に示す専用の紐付け表示画面５０にも適用できる。
【００８６】
（ａ）図７（ａ）に示すように、紐付け表示画面５０において、情報ファイルを含むフォルダＸと通信端末Ｃの操作画面ＧとをラインイメージＳで関連付けて表示し、このフォルダＸをカーソルＣｕで選択することにより（例えば、ダブルクリック）、図７（ｂ）に示すように、フォルダＸに含まれる情報ファイルのファイルイメージＦと、対応する通信端末Ｃの操作画面ＧとをラインイメージＳで関連付けて表示する。このように階層表示が可能な表示形態を採用することにより、紐付け表示画面５０における表示を簡素化できると共に、情報ファイルのディレクトリ等の情報の把握が容易となる。
【００８７】
（ｂ）図８に示すように、紐付け表示画面５０において、情報ファイルのファイルイメージＦと操作画面Ｇとを表示し、このファイルイメージＦと操作画面Ｇとのうち接続状態にあるもの同士を結ぶラインイメージＳを表示すると共に、情報ファイルに接続する通信端末Ｃが多い場合には、この紐付け表示画面５０の外部で表示可能なスペースとなる領域に通信端末Ｃに対応する操作画面Ｇを表示し、これらの間にラインイメージＳを表示するように表示形態を設定する。つまり、操作画面Ｇは通信端末Ｃのモニタ８に表示されている情報であるため、その内容を把握するために適度の表示領域が必要である。このような理由から多くの通信端末Ｃが接続する情報ファイルに対しては管理モニタ５の空いたスペースを有効に利用することによ視認性を低下させずに関連付け表示を実現するのである。
【００８８】
（ｃ）情報ファイルのファイルイメージＦ（ファイル表示情報）と通信端末Ｃの操作画面Ｇ（端末表示情報）と関連付ける関連付けイメージとして、ラインイメージＳに代えて、図９に示すように、ファイルイメージＦ（ファイル表示情報）と通信端末Ｃの操作画面Ｇ（端末表示情報）とを取り囲む領域イメージＳで表示することや、幅の広いベルト状のイメージで結ぶように表示する等、視覚的に明らかな関連付け状態となるものであれば様々な表示形態を採用できる。
【００８９】
（ｄ）図１０（ａ）に示すように、情報ファイルのファイルイメージＦ（ファイル表示情報）をファイル表示画面５５に表示すると共に、通信端末Ｃの操作画面Ｇ（端末表示情報）を端末表示画面５６に表示し、ファイルイメージＦと操作画面Ｇとのうち接続状態にあるもの同士を関連付けるラインイメージＳを表示する。このよう表示されるラインイメージＳはファイル表示画面５５と端末表示画面５６に亘って表示されるものとなる。また、図１０（ｂ）に示すように、ファイルイメージＦと操作画面Ｇとのうち接続状態にあるもの同士を関連付けるラインイメージＳを表示する際に、操作画面Ｇを表示する表示フレームＥの下部の情報表示部Ｅａに対して接続状態にある情報ファイルのファイル名を表示する。このようにファイル名を表示することにより、例えば、ファイル表示画面５５のスクロールバー５５Ａ、あるいは、端末表示画面５６のスクロールバー５６Ａを操作して対応するものが画面に表示されない状況でも接続状態にあることを把握できるものとなる。
【００９０】
（ｅ）１つの通信端末Ｃが複数の情報ファイルに接続している場合、アクティブ状態にある情報ファイルのファイルイメージＦに関連付けられたラインイメージＳを、非アクティブ状態にあるラインイメージＳより濃く表示することや、太く表示する。この場合、非アクティブ状態にあるラインイメージＳを消去しても良い。このように表示形態を変更することにより、管理モニタ５における端末の管理、監視を効率的に行える効果を奏する。尚、この別実施形態では関連付けイメージとしてラインイメージＳを例にして説明したが、ラインイメージＳを異なるものであっても表示の際の濃度や太さの変更等の設定によりアクティブ状態を非アクティブ状態とを示すように表示することで同様の効果を奏することが可能となる。
【図面の簡単な説明】
【００９１】
【図１】通信ネットワークの概要を示す図
【図２】管理サーバと通信端末等との構成を示すブロック回路図
【図３】管理画面を示す図
【図４】オープンダイアログを示す図
【図５】第１の処理形態における紐付け表示ルーチンのフローチャート
【図６】第２の処理形態における紐付け表示ルーチンのフローチャート
【図７】別実施形態（ａ）の表示形態を示す図
【図８】別実施形態（ｂ）の表示形態を示す図
【図９】別実施形態（ｃ）の表示形態を示す図
【図１０】別実施形態（ｄ）の表示形態を示す図
【符号の説明】
【００９２】
８            モニタ
１１          アプリケーション
１６          接続情報取得部
１７          関連付け表示手段
２６          接続情報取得部
Ａ            管理サーバ
Ｃ            通信端末
Ｄ            ストレージ（ファイルサーバ）
Ｆ            ファイル表示情報・ファイルイメージ
Ｇ            端末表示情報・操作画面
Ｌ            通信ネットワーク
Ｓ            関連付けイメージ・ラインイメージ